(57)【要約】【課題】現場では作業時間の短縮ができ作業性が向上し、また、複数の異なる作業者が行なっても養生シートの張り具合が均等になし得、しかも繰り返し使用できることから、ゴミの量を少なくでき施工コストも軽減できる養生シートの連結具を提供する。【解決手段】隣り合う養生シート７の対向する連結孔８に挿通して該各養生シート７を連結するようにした連結具Ａであって、連結具Ａを隣り合う養生シート７の対向する連結孔８に挿通し、その両端を互いに係脱自在に係合し得る係合手段３，５により係合するようにした。【選択図】　図２
2004084455.tif 000002
【特許請求の範囲】
【請求項１】
隣り合う養生シートの対向する連結孔に挿通して該各養生シートを連結するようにした連結具であって、可撓性を有すると共に湾曲して弧状に成形され、その両端には互いに係脱自在に係合し得る係合手段を設けたことを特徴とする養生シートの連結具。
【請求項２】
隣り合う養生シートの対向する連結孔に挿通し、かつ、支持柱に巻回して該各養生シートを連結するようにした連結具であって、湾曲して弧状に成形される連結具本体と、前記連結具本体の両端間に取着される弾性を備えた伸縮自在な締止部材と、からなり、前記連結具本体と締止部材との少なくとも一端に互いに係脱自在に係合し得る係合手段を設けたことを特徴とする養生シートの連結具。
【請求項３】
隣り合う養生シートの対向する連結孔に挿通し、かつ、支持柱に巻回して該各養生シートを連結するようにした連結具であって、湾曲して弧状に成形され、内周面に前記各連結孔がそれぞれ係脱自在に係合して前記隣り合う養生シートの対向する端縁部が互いに重ねられる一対の係止部を設けた連結具本体と、前記連結具本体の両端間に取着される弾性を備えた伸縮自在な締止部材と、からなり、前記連結具本体と締止部材との少なくとも一端に互いに係脱自在に係合し得る係合手段を設けたことを特徴とする養生シートの連結具。
【発明の詳細な説明】
【０００１】
【発明の属する技術分野】
本発明は、建築中の建物の周囲に足場と共に張り巡らして使用される多数枚の養生シートを連結するための養生シートの連結具に関するものである。
【０００２】
【従来の技術】
例えば、住宅やビルを建築する場合、これら住宅やビルの周囲に鋼製枠を使用して足場を組立てると共に、この足場の外周面に住宅、ビルの周囲を囲いこれら現場から排出されるゴミ、埃が周囲に飛散して迷惑を掛けないようにするため養生シートと呼ばれる幕が多数枚連結して張設される（例えば、特許文献１参照。）。
【０００３】
【特許文献１】
特開２００２−１０６１７５号公報　（第２頁、図５）
【０００４】
前記養生シートは、所定の大きさを有する方形状に成形され、その周縁部に沿って多数の連結孔が列設されている。そして、通常、現場で使用する前にあらかじめ各連結孔に紐を一本一本付けるようにしている。現場では、前記養生シートを張設して隣接するもの同士を連結する場合、前記隣り合う養生シートの対向する両連結孔に紐を通して結び、これら各養生シートを互いに連結するようにしている。また、工事が完成して各養生シートを取り外す場合は、各紐をその場で切断して廃棄し、各養生シートをそれぞれ分離していた。
【０００５】
【発明が解決しようとする課題】
しかしながら、通常、養生シートを現場に持ち運ぶ前に、各連結孔に紐を付けておかなくてはならないが、養生シートがたくさんあり、しかも各養生シートにおける連結孔もたくさん有ることから、その作業に面倒な手間と多くの時間が掛かっている。また、工事を始めるにあたり現場では、前記紐を結ぶ作業が複数の作業者により行なわれるものの、結ぶ個所がたくさんあることから、これら作業も非常に面倒で時間が掛かり、極めて作業性が悪いという課題が有る。しかも、異なる作業者により紐が結ばれるので、各々の紐の縛る強さがまちまちであってバラツキが生じ、養生シート全体の張り具合が良くないという課題が有る。更に、工事が完了して養生シートを取り外すとき、前記縛った紐は総て鋏等で切り取って廃棄し、工事を始めるべく養生シートを張設するには、その都度新しい紐を使用するようにしているので、余分な廃棄処理を強いられ排出されるゴミの量も多くなるばかりか資源の無駄が多く、施工コストも高くなっているのが現状である。
【０００６】
そこで本発明は、上記課題を解決すべくなされたもので、現場に持ち運ぶ前の養生シートには何もする必要はなく、現場では作業時間の短縮が可能となり作業性が向上し、また、複数の異なる作業者が行なっても連結された養生シートの張り具合が均等になし得、しかも繰り返し使用できることから、ゴミの量を少なくでき施工コストも軽減できる養生シートの連結具を提供することを目的とするものである。
【０００７】
【課題を解決するための手段】
かかる目的を達成するために本発明に係る養生シートの連結具は、隣り合う養生シートの対向する連結孔に挿通して該各養生シートを連結するようにした連結具であって、可撓性を有すると共に湾曲して弧状に成形され、その両端には互いに係脱自在に係合し得る係合手段を設けて構成される。
【０００８】
具体的には、隣り合う養生シートの対向する連結孔に挿通して該各養生シートを連結するようにした連結具であって、可撓性を有すると共に湾曲して弧状に成形され、その一端に係合凸部を設け、他端には該係合凸部が係脱自在に係合し得る係合凹部を設けた構成からなる。
【０００９】
また、隣り合う養生シートの対向する連結孔に挿通し、かつ、支持柱に巻回して該各養生シートを連結するようにした連結具であって、湾曲して弧状に成形される連結具本体と、前記連結具本体の両端間に取着される弾性を備えた伸縮自在な締止部材と、からなり、前記連結具本体と締止部材との少なくとも一端に互いに係脱自在に係合し得る係合手段を設けて構成される。
【００１０】
具体的には、隣り合う養生シートの対向する連結孔に挿通し、かつ、支持柱に巻回して該各養生シートを連結するようにした連結具であって、可撓性を有すると共に湾曲して弧状に成形されかつ両端にフック部が設けられる連結具本体と、両端に環状部を有して前記連結具本体の両端間に取着される弾性を備えた伸縮自在な締止部材と、からなり、前記連結具本体の一端に設けられるフック部に前記一方の環状部を係合した状態で、前記連結具本体の他端に設けられるフック部に前記他方の環状部を係脱自在に係合し得るようにした構成からなる。
【００１１】
このように、連結具を隣り合う養生シートの対向する連結孔に挿通し、または、隣り合う養生シートの対向する連結孔に挿通し、かつ、支持柱に巻回し、互いに係脱自在に係合し得る係合手段により係合させるようにしたので、工事を始めるに当たり現場では、隣り合う養生シートの連結が簡単に行なえる。また、各連結具はすべて同じ形状からなるので、各養生シートに対する各連結具の引張力が常に一定となり、連結された養生シート全体の張り具合が良好となる。
【００１２】
更に、連結具は係脱自在に係合し得る係合手段を有することから、工事が完了して養生シートを取り外す場合も、そのまま係合手段を外すことができ、さらに保管して繰り返し使用することもできることから、廃棄されるゴミの量を少なくできるばかりか施工コストも軽減できる。
【００１３】
また、連結具として、隣り合う養生シートの対向する連結孔に挿通し、かつ、支持柱に巻回して該各養生シートを連結するようにした連結具であって、湾曲して弧状に成形され、内周面に前記各連結孔がそれぞれ係脱自在に係合して前記隣り合う養生シートの対向する端縁部が互いに重ねられる一対の係止部を設けた連結具本体と、前記連結具本体の両端間に取着される弾性を備えた伸縮自在な締止部材と、からなり、前記連結具本体と締止部材との少なくとも一端に互いに係脱自在に係合し得る係合手段を設けた構成が選ばれる。
【００１４】
このように、連結具本体が挿通された各連結孔を各係止部に係脱自在に係合させることにより、隣り合う養生シートの対向する端縁部が重なってその間に隙間がほとんどできないことになる。これにより、現場から排出されるゴミ、埃が粉塵として隙間を介し外側へ飛散することが少なくなり、周囲への環境汚染も軽減されてその目的を十分達成することができる。また、外側から支持柱が見えないことから全体の美観にも優れることとなり、短い時間ではあるが周囲環境との調和が保たれる。
【００１５】
【発明の実施の形態】
次に、本発明に係る養生シートの連結具の実施の形態を図面と共に説明する。なお、連結具には、養生シートのみを連結するためのものと、支持柱と共に養生シートを連結するためのものが有る。図１乃至図３は養生シートのみを連結するための第一連結具を示すものであり、図４乃至図６は支持柱と共に養生シートを連結するための第二連結具を示すものである。本実施の形態では、上下に位置する養生シートの下端と上端を連結する場合に第一連結具を使用し、左右に位置する養生シートの右端と左端とを支持柱と共に連結する場合に第二連結具を使用するようにしている。
【００１６】
まず、前者の連結具について説明する。図１は第一連結具の斜視図である。この第一連結具Ａは、ポリプロピレンといった比較的硬くしかも弾性を備えた合成樹脂材からなり、一定の幅を有する帯片１を弧状に湾曲し可撓性を有するように成形される。そして、その一端に、内側へ窪むように湾曲すると共にその先端に厚肉部２を成形した係合手段としての係合凸部３が設けられる。一方、帯片１の他端には、内側へ膨らむように湾曲しその先端と帯片１の内面との間に差込み隙間４が成形され、前記係合凸部３が係脱自在に係合し得る係合手段としての係合凹部５が設けられる。この係合凹部５には、その内側に前記差込み隙間４と連通し前記厚肉部２が嵌入する嵌入孔６が成形される。前記帯片１及び係合凸部３は、後記する養生シート７に設けられる連結孔８に容易に挿通可能な形状になっているが、前記係合凹部５は連結孔８を簡単には通過し得ない形状になっている。なお、前記係合手段としては、前記係合凸部３、係合凹部５に限られるものではなく、例えば互いに係脱自在に係合し得る鉤状のフック部であっても良い。
【００１７】
第一連結具Ａは上記構成からなり、次にその使用方法について説明する。養生シート７は、方形状に成形され、外周縁に沿って所定間隔離し所定の内径を有する連結孔８が列設されている。そして、例えば、住宅やビルを建築する場合、その周囲に鋼製枠を使用して足場を組み立てると共にこの足場の外周面に多数枚の養生シート７を張設することになる。その現場に持ち運ぶ前の各養生シート７には、各連結孔８に第一連結具Ａを付けておく必要はなく、そのまま保管される。
【００１８】
現場では、上下に位置して隣り合う養生シート７の下端と上端で対向する両連結孔８に対し、まず、図２（イ）に示すように係合凹部３を指の先で摘み、内側から下側の養生シート７（７ａ）の連結孔８（８ａ）に係合凸部３を挿通する。更に、そのまま係合凸部３を回して、図２（ロ）に示すように外側から上側の養生シート７（７ｂ）の連結孔８（８ｂ）に係合凸部３を挿通する。そして、係合凸部３を係合凹部５に差込み隙間４を介しその側面から挿入して係合させる。これにより、図３に示すように上下に位置して隣り合う養生シート７（７ａ），７（７ｂ）が連結される。以後同様な作業を繰り返して、各連結孔８（８ａ），８（８ｂ）に第一連結具Ａを順次挿通する。
【００１９】
この際、前記係合凹部５は連結孔８を簡単に通過できない形状に成形されていることから、仮に指先が滑って第一連結具Ａを指先から放してしまっても、前記係合凹部５が連結孔８の部位で引っ掛かるので、そのまま落下してしまうような危険はない。また、このように、第一連結具Ａを上下に位置して隣り合う養生シート７の対向する連結孔８に挿通し、その両端側を互いに係脱自在に係合し得る係合凸部３と係合凹部５とで係合させるようにしたので、工事を始めるに当たり現場では、隣り合う養生シート７の連結が簡単に行なえる。また、各第一連結具Ａは、すべて同じ形状からなるので、各養生シート７に対する各第一連結具Ａの引張力が常に一定となり、連結された養生シート全体の張り具合が良好となる。
【００２０】
工事が完成した後は各養生シート７を取り外すことになるが、この場合は、互いに係合する前記係合凸部３と係合凹部５を指先で捻るようにすると、係合凹部５から係合凸部３が容易に外れ、第一連結具Ａを簡単に取り外すことができる。しかも、取り外した第一連結具Ａはそのまま保管し、繰返して使用することができる。
【００２１】
次に、第二連結具Ｂについて説明する。図４は第二連結具の分解斜視図である。この第二連結具Ｂは、ポリプロピレンといった比較的硬くしかも可撓性を有した合成樹脂材から成形される連結具本体９と、エラストマーといった伸縮自在な弾性材からなる締止部材１０とからなる。連結具本体９は、一定の幅を有する帯片１を円弧状に湾曲させて成形され、その両端に帯片１を外側へ屈曲させて成形されるフック部１１ａ，１１ｂが設けられる。また、この連結具本体９は、後記する支持柱１５の外周面に嵌る程度の大きさに成形されている。一方のフック部１１ａは、差込口１３ａの隙間間隔より内部空間１３ｂの隙間間隔の方が広く成形され、しかも、差込口１３ａの隙間間隔は後記する掛止部材１０の環状部１２の厚みよりも狭く成形され、係合した環状部１２が外れ難くしている。係合手段としての他方のフック部１１ｂは、差込口１４ａを含め内部空間１４ｂ全体の隙間間隔が前記環状部１２の厚みとほぼ同じ寸法に設定されている。
【００２２】
この場合も、前記帯片１及び他方のフック部１１ｂは、養生シート７の連結孔８に容易に挿通可能なようになっているが、前記一方のフック部１１ａは連結孔８を簡単に通過し得ない形状になっている。前記締止部材１０は、両端に係合手段として円形の環状部１２が設けられ、これら環状部１２を前記フック部１１ａ，１１ｂに係合することにより連結具本体９の両端間に締止部材１０が取着されることになる。
【００２３】
なお、前記連結具本体９は可撓性のない合成樹脂製、金属製、木製であっても良いが、できれば可撓性の有る合成樹脂製のものが良い。前記環状部１２は事実上両フック部１１ａ，１１ｂに係脱自在に係合し得るが、このように両側とも係脱自在に係合させるようにしても、片側のみ係脱自在に係合させるようにしても良い。また、前記係合手段として締止部材１０の両端に環状部１２を設けた構成に限られるものではなく、例えば、締止部材１０を輪ゴムのような形状にしても良く、その材質は弾性を備え伸縮自在な性質を有する素材であれば、ゴム、合成ゴムであっても良い。
【００２４】
第二連結具Ｂは上記構成からなり、次にその使用方法について説明する。この第二連結具Ｂは、締止部材１０の一端に設けられた環状部１２を連結具本体９の外れ難い一方のフック部１１ａに係合させておく。
【００２５】
図５において、７は養生シート、１５は足場の支持柱である。この場合は、左右に位置して隣り合う養生シート７を支持柱１５と共に連結するようにしている。そこで、現場では図５（イ）に示すように連結具本体９を指先で摘み、内側から右側の養生シート７（７ａ）の連結孔８（８ａ）にフック部１１ｂを挿通する。更に、このフック部１１ｂを、そのまま回して図５（ロ）に示すように外側から左側の養生シート７（７ｂ）の連結孔８（８ｂ）に挿通する。そして、そのフック部１１ｂに締止部材１０の他端の環状部１２を係合させる。これにより、図６に示すように第二連結具Ｂが支持柱１５の外周面に巻かれるような形で隣り合う養生シート７（７ａ），７（７ｂ）が連結され、同時に支持柱１５とも連結されることになる。以後同様な作業を繰り返して、各連結孔８（８ａ），８（８ｂ）に第二連結具Ｂを順次挿通する。
【００２６】
この場合も、前記右側のフック部１１ａ、すなわち先に環状部１２を係合したフック部１１ａ、が連結孔８を簡単に通過し得ない形状に成形されていることから、仮に指先が滑って第二連結具Ｂを指先から放してしまっても、前記フック部１１ａが連結孔８の部位で引っ掛かるので、そのまま落下してしまうといった危険はない。また、連結具本体９を隣り合う養生シート７の対向する連結孔８に挿通し、その両端に互いに係脱自在に係合し得る環状部１２を係合させるようにしたので、工事を始めるに当たり現場では、隣り合う養生シート７と支持柱１５との連結が簡単に行なえる。また、各第二連結具Ｂはすべて同じ形状からなるので、各養生シート７に対する各第二連結具Ｂの引張力が常に一定となり、連結された養生シート全体の張り具合が良好となる。
【００２７】
工事が完成した後は各養生シート７を取り外すことになるが、この場合は、前記連結具本体９の他方のフック部１１ｂから環状部１２を指先で取り外し、各連結孔８から連結具本体９を抜き出すようにして第二連結具Ｂを簡単に取り外すことができる。しかも、取り外した第二連結具Ｂはそのまま保管し、繰返して使用することができる。
【００２８】
図７、図８は、他の実施の形態に係る第三連結具Ｂ２を示すものであり、図７は他の実施の形態に係る連結具本体の斜視図、図８は同第三連結具の使用状態を示す養生シートの平面断面図である。なお、この第三連結具Ｂ２、とりわけ連結具本体９ａおよび締止部材１０、は前記第二連結具Ｂで説明したことと同様であって、同一の材質からなり、ほぼ同一の形状からなることから、これと同一部位は同一番号を付すことによって詳しい説明は省略する。
【００２９】
この連結具本体９ａでは、湾曲して弧状に成形される帯片１ａの内周面に、各養生シート７（７ａ），７（７ｂ）の対向する連結孔８（８ａ），８（８ｂ）がそれぞれ係脱自在に係合する一対の係止部としての段部１６，１６が設けられている。この各段部１６は、互いに向き合いその間が内側に窪んでいる。そして、その間隔は、前記両連結孔８（８ａ），８（８ｂ）が係合したとき、隣り合う養生シート７（７ａ），７（７ｂ）の対向する端縁部１７（１７ａ），１７（１７ｂ）が互いに前後に重なるように設定されている。係止部は、前記連結孔８（８ａ），８（８ｂ）が係合できるものであれば外側に突出する突起でも良い。
【００３０】
そこで、図８に示すように両側の養生シート７（７ａ），７（７ｂ）の各連結孔８（８ａ），８（８ｂ）にフック部１１ｂを挿通すると共に両段部１６，１６に各連結孔８（８ａ），８（８ｂ）を係合する。そして、そのフック部１１ｂに締止部材１０の他端の環状部１２を支持柱１５に巻回するようにして係合させる。これにより、前記と同様に第三連結具Ｂ２が、支持柱１５の外周面に巻かれるような形で隣り合う養生シート７（７ａ），７（７ｂ）を連結し、同時に支持柱１５も連結することになる。
【００３１】
また、この際、各養生シート７（７ａ），７（７ｂ）の対向する端縁部１７ａ，１７ｂは、互いに前後に重ねられることとなる。このように、重ねられた端縁部１７ａ，１７ｂは、支持柱１５の外周面と連結具本体９ａとの間に位置して安定することもあり、その間に隙間がほとんどできないことになる。これにより、現場から排出されるゴミ、埃が粉塵として隙間を介し外側へ飛散するようなことが少なくなる。また、外側から支持柱１５が見えないことから全体の美観にも優れることになる。
【００３２】
【発明の効果】
以上説明したように本発明に係る養生シートの連結具は、隣り合う養生シートの対向する連結孔に挿通し、または、隣り合う養生シートの対向する連結孔に挿通し、かつ、支持柱に巻回し、互いに係脱自在に係合し得る係合手段により係合させるようにしたので、現場に持ち運ぶ前の養生シートに、従来のような連結用の紐を付けておく必要がなく、面倒な手間と時間が省略できる。また、工事を始めるにあたり現場では、隣り合う養生シートの連結が簡単に行なえ、作業時間が短縮できて作業性が向上する。更に、各連結具はすべて同じ形状、寸法からなるので、養生シートに対する各連結具の引張力が常に一定となり、連結された養生シート全体の張り具合が良好となる。
【００３３】
更にまた、連結具が係脱自在に係合し得る係合手段を有することから、工事が完了して養生シートを取り外す場合も、そのまま簡単に係合手段を外すことができ、しかも、連結具をそのまま保管して繰り返し使用することもできる。よって、廃棄されるゴミの量を少なくできるばかりか、引いては施工コストも軽減できるという効果がある。
【００３４】
連結具として、内周面に前記各連結孔がそれぞれ係脱自在に係合して隣り合う養生シートの対向する端縁部が互いに重ねられる一対の係止部を設けた連結具本体を使用すれば、各養生シートの対向する端縁部間にほとんど隙間ができないことになり、現場から排出されるゴミ、埃が粉塵として隙間を介し外側へ飛散することが少なくなり、周囲への環境汚染も軽減されてその目的を十分達成することができるという効果がある。
【図面の簡単な説明】
【図１】本発明に係る第一連結具の斜視図。
【図２】（イ）同使用状態を示す養生シートの側面断面図。
（ロ）同使用状態を示す養生シートの側面断面図。
【図３】養生シートを連結した状態を示す斜視図。
【図４】本発明に係る第二連結具の斜視図。
【図５】（イ）同使用状態を示す養生シートの平面断面図。
（ロ）同使用状態を示す養生シートの平面断面図。
【図６】支持柱と共に養生シートを連結した状態を示す斜視図。
【図７】他の実施の形態に係る連結具本体の斜視図。
【図８】同第三連結具の使用状態を示す養生シートの平面断面図。
【符号の説明】
３　　　　　　　係合手段（係合凸部）
５　　　　　　　係合手段（係合凹部）
７　　　　　　　養生シート
８　　　　　　　連結孔
９　　　　　　　連結具本体
９ａ　　　　　　連結具本体
１０　　　　　　締止部材
１１ｂ　　　　　係合手段（フック部）
１２　　　　　　係合手段（環状部）
１５　　　　　　支持柱
１６　　　　　　係止部（段部）
１７ａ，１７ｂ　端縁部
Ａ　　　　　　　第一連結具
Ｂ　　　　　　　第二連結具
Ｂ２　　　　　　第三連結具
【図１】
2004084455.tif 000003
【図２】
2004084455.tif 000004
【図３】
2004084455.tif 000005
【図４】
2004084455.tif 000006
【図５】
2004084455.tif 000007
【図６】
2004084455.tif 000008
【図７】
2004084455.tif 000009
【図８】
2004084455.tif 000010